(57)【要約】【課題】従来のマツバサルカン、あるいは、これを２つ組み合わせたマツバ親子サルカンと呼ばれている釣用サルカンの製造では、加工しやすく、熱伝導の良い真鍮や銅を用いていた。そして強度を得るために、接合部に鑞付けと言う溶接を行なっていた。近年の真鍮や銅の値上がりや、過酷な作業環境のなかでの熟練を必要とする鑞付け加工では、人材の不足が生産の減少まねき、製品価格への転嫁へとつながり、ひいては、これを大量に使用する、漁業経営にも深刻な影響を与えていた。【解決手段】金属線材６の両端に、ループ形の繋ぎ環１を設け、この繋ぎ環１と繋ぎ環１の中央付近を頂点とし、繋ぎ環１どうしが、底辺中央付近にて、水平に、なおかつ、上下に重なるようにして三角形の頭部２を成形し、この重なり合った繋ぎ環１の中に、金属線材６の片端が釘の頭３のように、なおかつ、この釘の頭３の直径が繋ぎ環１の内径よりも大きく成形された物の先端を、三角形の頭部２の内側１１より通し、その先端にループ形の繋ぎ環４を設ける。【選択図】図１
2009045055.tif 000002
【特許請求の範囲】
【請求項１】
金属線材６の両端に、ループ形の繋ぎ環１を設け、この繋ぎ環１と繋ぎ環１の間の中央付近を頂点とし、繋ぎ環１どうしが、底辺中央付近にて、水平に、なおかつ、上下に重なり合うようにして、三角形の頭部２を成形し、この重なり合った繋ぎ環１の中に、金属線材６の、片端が釘の頭３のように、なおかつ、この頭の直径が繋ぎ環１の内径よりも大きく成形された物の先端を、三角形の頭部２の内側１１より通し、その先端にループ形の繋ぎ環４を設けて成形された、ヨリモドシ環５と呼ばれる脚部を設けた釣用サルカン。
【請求項２】
三角形の頭部２が、半円形状の頭部７で出来た請求項１記載の釣用サルカン。
【請求項３】
三角形の頭部２が、多角形の頭部８で出来た、請求項１記載の釣用サルカン。
【請求項４】
鍍金あるいは、樹脂塗装などで表面を被覆加工した、請求項１〜３記載の釣用サルカン
【発明の詳細な説明】
【技術分野】
【０００１】本発明は、釣用仕掛等において、道糸と枝糸とを結合させ、なおかつ、撚りを取るために用いる、単体ではマツバサルカンと呼ばれ、これを２個組み合わせたマツバ親子サルカンと呼ばれる、釣用サルカンに関するものである。
【背景技術】
【０００２】従来、マツバサルカンと呼ばれている釣用サルカンは、その材質が、比較的柔らかで加工しやすい真鍮や銅で作られていて、図５に示す通り、三角形の頭部９と、脚部のヨリモドシ環５で組み合わされていた。【０００３】三角形を成形する方法として、金属線材６の片端にループ形の繋ぎ環１を成形し、この繋ぎ環１の中心部が、三角形の底辺の中央付近に水平になるように、また、一方の片端を、繋ぎ環１から出る金属線材と一直線上になる繋ぎ環１の側面に、接するように曲げ加工し、強度を高めるために、ループ形に曲げた繋ぎ環１と金属線材との接合部１０と、片端がこの繋ぎ環１と接する接合部１０の２ヶ所を、強度向上のため鑞付け加工し、三角形の頭部９を成形していた。【０００４】また、脚部のヨリモドシ環５を成形する方法では、金属線材の片端が、三角形の頭部２の繋ぎ環１の内径よりも少し大きく成形された、通称、釘と呼ばれる釘の頭３を有する物の先端を、三角形の内側１１より繋ぎ環１に差し入れた後、差し入れた先端にループ形の繋ぎ環４を成形し、この繋ぎ環４と金属線材との接合部１０を強度向上のため鑞付け加工し、こうして組みあがったマツバサルカンに、ニッケル等の鍍金加工を行っていた。
【発明の開示】
【発明が解決しようとする課題】
【０００５】従来のマツバサルカン、あるいはこれを組み合わせて作ったマツバ親子サルカンと呼ばれる釣用サルカンでは、その線材の材質が、曲げ加工しやすく、鑞付け加工時の熱伝導の良さから、真鍮や銅が用いられてきたが、近年これ等の原料高は目を見張るものが有る。【０００６】また、この釣用サルカンの強度を向上させるために、繋ぎ環１，４と金属線材６の接合部１０に、アセチレンと酸素の混合ガスを用いて鑞付け加工をしなければならず、直火による高温や、鑞のはねとびによる火傷、コスト面では鑞付けのスピードアップが要求される反面、強度向上のための正確な鑞付け加工が求められ、その作業には高い熟練度を必要とされたが、作業環境が苛酷なため、良き人材が得がたかった。【０００７】鍍金加工においても、ニッケル等の鍍金原料の高騰や、環境に対する影響の軽減等で、コストの上昇がみられ、ひいては製品の価格高騰のひとつの要因と成っていた。【０００８】一方、この釣用サルカンを主に使用する、底物漁業用魚釣仕掛においては、海底付近の魚を釣るために、仕掛が海底に引っ掛ってしまう、いわゆる根掛り、と言う現象が多く発生し、仕掛けの消耗もはげしかった。近年の漁獲量の減少や、人件費、燃料費などの高騰による経費の増大に対処するために、消耗品である漁具代の削減もさけばれ、より安価な釣用サルカンの開発が要望されていた。【０００９】本発明は、かかる実情にかんがみ、溶接をおこなわずに強度の向上がはかり、なおかつ加工後の鍍金加工を必要としない、より安価な釣用サルカンを提供する事を目的としたものである。
【課題を解決するための手段】
【００１０】この目的を解決するために、請求項１に記載した釣用サルカンは、金属線材６の両端に、ループ形の繋ぎ環１を設け、この繋ぎ環１と繋ぎ環１の間の中央付近を頂点とし、繋ぎ環１どうしが、底辺中央付近にて、水平に、なおかつ、上下に重なり合うようにして三角形の頭部２を成形し、この重なり合った繋ぎ環１の中に、金属線材６の片端が釘の頭３のように、なおかつ、この釘の頭３の直径が繋ぎ環１の内径よりも大きく成形された物の先端を、三角形の頭部２の内側１１より通し、その先端にループ形の繋ぎ環４を設けて形成された、ヨリモドシ環５と呼ばれる脚部を設けた釣用サルカン。【００１１】請求項２に記載された釣用サルカンは、三角形の頭部２が、半円形状の頭部７で出来た、請求項１記載の釣用サルカン。【００１２】請求項３に記載された釣用サルカンは、三角形の頭部２が、多角形の頭部８で出来た、請求項１記載の釣用サルカン。【００１３】請求項４に記載された釣用サルカンは、鍍金や樹脂塗装で、表面が被覆加工された請求項１〜３記載の釣用サルカン。
【発明の効果】
【００１４】以上のように、本発明の釣用サルカンは、組み立て後の鍍金を必要としないものや、鍍金を必要とする金属線材で作る事が出来、低カーボンのはがね線に、あらかじめ、亜鉛やハンダ、あるいはアルミ等の鍍金をほどこした、通称、針金と呼ばれている金属線材６などを使用して、三角形や半円形状、あるいは多角形で出来た頭部の繋ぎ環１を、それぞれの底辺中央付近にて水平に重ね合わせることで、ヨリモドシ環５の繋ぎ環４方向に引っ張られる釘の頭部３に掛かる力を、支える強度が得られるため鑞付けする必要もなく、鍍金加工も不要と成り、熟練を必要としないで、製造時の安全、コストの軽減が計られる釣用サルカンを提供できる。【００１５】また、鍍金や樹脂塗装を必要とする金属線材６で出来た、本発明の釣用サルカンを、鍍金や樹脂塗装加工しても、コストは多少上がるが、従来品と比較すれば、はるかに安価な釣用サルカンを提供できる。
【発明を実施するための最良の形態】
【００１６】以下、図１〜図４にて本発明の実施例を説明する。
図１に示すように、金属線材６の両端に繋ぎ環１を設け、この繋ぎ環１どうしを、三角形の底辺中央付近にて、水平に、なおかつ上下に重ね合わさるように曲げ加工する。【００１７】そして、金属線材６の片端が、釘の頭３のように成形加工された物の先端を、三角形の頭部２の内側より、重なり合った繋ぎ環１の中を通し、その先端に繋ぎ環４を設ける。【００１８】図２に示すように、金属線材６の両端に繋ぎ環１を設け、この繋ぎ環１どうしを半円形状の底辺中央付近にて、水平に、なおかつ、上下に重ね合わさるように曲げ加工し、そして、金属線材６の片端が、釘の頭３のように成形加工された物の先端を、半円形状の頭部７の内側１１より、重なり合った繋ぎ環１の中を通し、その先端に繋ぎ環４を設ける。【００１９】図３に示すように、金属線材６の両端に繋ぎ環１を設け、この繋ぎ環１どうしを多角形の底辺中央付近にて、水平に、なおかつ、上下に重ね合わさるように曲げ加工し、そして、金属線材６の片端が、釘の頭３のように成形加工された物の先端を、多角形の頭部８の内側１１より、重なり合った繋ぎ環１の中を通し、その先端に繋ぎ環４を設ける。【００２０】本発明の釣用サルカンの金属線材６に、あらかじめ、亜鉛やハンダ、あるいは、アルミ等の鍍金を施したものを用いる。
【実施例１】
【００２１】図４は本発明の釣用サルカンを２個用いて組立てた、マツバ親子サルカンである。その組み立て方を簡単に説明すると、子のマツバサルカン１２を先に組み立て、親のマツバサルカン１３の三角形の頭部２の内側１１の重なり合った繋ぎ環１のなかへ、金属線材６の片端が、釘の頭３のように成形加工された物の先端を通し、つずいて、先に組み立ててあった、子のマツバサルカン１２のヨリモドシ環５の繋ぎ環４の中を通し、その金属線材６の先端に繋ぎ環４を設ける。
【図面の簡単な説明】
【００２２】
【図１】本発明に係る釣用サルカンの実施の形態を示す斜視図である。
【図２】本発明に係る釣用サルカンの頭部が、半円形状に成った実施の形態を示す斜視図である。
【図３】本発明に係る釣用サルカンの頭部が、多角形に成った実施の形態を示す斜視図である。
【図４】本発明に係る釣用サルカンを、２個用いて組み立てた、マツバ親子サルカンと呼ばれる釣用サルカンの実施の形態を示す斜視図である。
【図５】従来のマツバサルカンの斜視図。
【符号の説明】
【００２３】  １  繋ぎ環
２  三角形の頭部
３  釘の頭
４  繋ぎ環
５  ヨリモドシ環
６  金属線材
７  半円形状の頭部
８  多角形の頭部
９  三角形の頭部
１０  接合部
１１  内側
１２  子のマツバサルカン
１３  親のマツバサルカン
【図１】
2009045055.tif 000003
【図２】
2009045055.tif 000004
【図３】
2009045055.tif 000005
【図４】
2009045055.tif 000006
【図５】
2009045055.tif 000007